(57)【要約】【課題】簡単な構成で開閉扉を上方スライドさせ得るようにするとともに、調理物取出用の大きな開口部が得られるようにする。【解決手段】本体１内に形成された調理室２と、該調理室２内に配設された加熱源となる電気ヒータ（上ヒータ３Ａおよび下ヒータ３Ｂ）と、被加熱物Ｍを載置する焼き網４と、前記調理室２の前面開口部２ａを開閉する開閉扉５とを備えたオーブントースターにおいて、前記開閉扉５の上部を、前記本体１における上面１ａの一部を形成するように構成するとともに、前記開閉扉５を、上方にスライド移動し得るように構成して、開閉扉５が上方スライド移動して開操作された状態においては、本体１前面に大きな開口部が形成されるようにしている。【選択図】        図２
2004225976.tif 000002
【特許請求の範囲】
【請求項１】
本体内に形成された調理室と、該調理室内に配設された加熱源となる電気ヒータと、被加熱物を載置する焼き網と、前記調理室の前面開口部を開閉する開閉扉とを備えたオーブントースターであって、前記開閉扉の上部を、前記本体における上面の一部を形成するように構成するとともに、前記開閉扉を、上方にスライド移動し得るように構成したことを特徴とするオーブントースター。
【請求項２】
前記前面開口部の両側口縁には、前記開閉扉の側壁から突設された枢軸と該枢軸から上あるいは下方向に所定距離離れた位置にあって前記開閉扉の下部に対して係合する前記本体側に設けられた係合軸とをスライド移動時に案内するガイド溝をそれぞれ形成したことを特徴とする前記請求項１記載のオーブントースター。
【請求項３】
前記ガイド溝を、前記前面開口部における両側口縁の外形形状に略倣った形状としたことを特徴とする前記請求項２記載のオーブントースター。
【請求項４】
前記枢軸を、前記開閉扉の側壁に対して進退自在としたことを特徴とする前記請求項２および３のいずれか一項記載のオーブントースター。
【請求項５】
前記開閉扉を上方に付勢する付勢手段と、前記開閉扉の閉状態を保持させるロック機構とを付設したことを特徴とする前記請求項１、２、３および４のいずれか一項記載のオーブントースター。
【発明の詳細な説明】
【０００１】
【発明の属する技術分野】
本願発明は、オーブントースターに関し、さらに詳しくは、調理物を取り出し易いように構成したオーブントースターに関するものである。
【０００２】
【従来の技術】
従来からよく知られているオーブントースターは、本体内に形成された調理室と、該調理室内に配設された加熱源となる電気ヒータと、被加熱物を載置する焼き網と、前記調理室の前面開口部を該前面開口部の下端部を枢支点として開閉する開閉扉とを備えて構成されている（例えば、特許文献１参照）。
【０００３】
上記構成のオーブントースターの場合、開閉扉が前方に向かって開操作されるため、前面開口部の開放状態が不十分となるおそれがあるとともに、本体の前方に大きな開閉スペースを必要とする。
【０００４】
上記不具合を解消するものとしては、オーブントースターにおいて、モータの駆動力により開閉扉を上方にスライド移動させて本体上部に形成された収納部に収納し得るように構成したものが開示されている（特許文献２参照）。
【０００５】
【特許文献１】
特開平２−１４４３１７号公報
【特許文献２】
特開平５−３０９０４４号公報。
【０００６】
【発明が解決しようとする課題】
ところが、上記特許文献２に開示されているオーブントースターの場合、モータの駆動力を開閉扉の上方移動力として伝達するために複雑な構造が必要となり、コストアップを免れないという新たな不具合が発生する。
【０００７】
本願発明は、上記の点に鑑みてなされたもので、簡単な構成で開閉扉を上方スライドさせ得るようにするとともに、被加熱物取出用の大きな開口部が得られるようにすることを目的としている。
【０００８】
【課題を解決するための手段】
本願発明では、上記課題を解決するための第１の手段として、本体内に形成された調理室と、該調理室内に配設された加熱源となる電気ヒータと、被加熱物を載置する焼き網と、前記調理室の前面開口部を開閉する開閉扉とを備えたオーブントースターにおいて、前記開閉扉の上部を、前記本体における上面の一部を形成するように構成するとともに、前記開閉扉を、上方にスライド移動し得るように構成している。
【０００９】
上記のように構成したことにより、焼き網上に被加熱物を載置して電気ヒータにより被加熱物が加熱調理されるが、加熱調理が終了すると、開閉扉が上方スライド移動して開操作される。すると、本体前面に大きな開口部が形成されることとなり、被加熱物の取出を容易且つ安全に行うことができる。
【００１０】
本願発明では、さらに、上記課題を解決するための第２の手段として、上記第１の手段を備えたオーブントースターにおいて、前記前面開口部の両側口縁に、前記開閉扉の側壁から突設された枢軸と該枢軸から上あるいは下方向に所定距離離れた位置にあって前記開閉扉の下部に対して係合する前記本体側に設けられた係合軸とをスライド移動時に案内するガイド溝をそれぞれ形成することもでき、そのように構成した場合、開閉扉は、枢軸と係合軸とがガイド溝に沿って案内されつつ開閉扉がスライド移動せしめられることとなり、開閉扉を安定した状態で開操作することができる。
【００１１】
本願発明では、さらに、上記課題を解決するための第３の手段として、上記第２の手段を備えたオーブントースターにおいて、前記ガイド溝を、前記前面開口部における両側口縁の外形形状に略倣った形状とすることもでき、そのように構成した場合、開閉扉は、前面開口部における両側口縁の外形形状に略沿って開操作されることとなり、開操作時における開閉扉の動きに無駄がなくなる。
【００１２】
本願発明では、さらに、上記課題を解決するための第４の手段として、上記第２又は第３の手段を備えたオーブントースターにおいて、前記枢軸を、前記開閉扉の側壁に対して進退自在とすることもでき、そのように構成した場合、枢軸の進退により開閉扉の着脱を容易に行うことができる。
【００１３】
本願発明では、さらに、上記課題を解決するための第４の手段として、上記第１、第２、第３又は第４の手段を備えたオーブントースターにおいて、前記開閉扉を上方に付勢する付勢手段と、前記開閉扉の閉状態を保持させるロック機構とを付設することもでき、そのように構成した場合、開閉扉の開操作が付勢手段の付勢力により容易になるとともに、開閉扉の閉状態はロック機構により確保できることとなり、簡単且つ低コストな開閉扉の開閉機構が得られる。
【００１４】
【発明の実施の形態】
以下、添付の図面を参照して、本願発明の好適な実施の形態について説明する。
【００１５】
このオーブントースターは、図１および図２に示すように、本体１内に形成された調理室２と、該調理室２内に配設された加熱源となる電気ヒータ（即ち、上ヒータ３Ａおよび下ヒータ３Ｂ）と、被加熱物Ｍ（例えば、パンあるいは受け皿）を載置する焼き網４と、前記調理室２の前面開口部２ａを開閉する開閉扉５とを備えて構成されている。
【００１６】
前記上ヒータ３Ａと下ヒータ３Ｂは、共に管状ヒータとされており、調理室２内において上下に対向するようにして該調理室２の両側内壁２ｂ，２ｂ間に架設されている。
【００１７】
前記焼き網４は、前記上下ヒータ３Ａ，３Ｂの中間部に配置されており、前記調理室内壁２ｂ，２ｂに形成された係合溝６に端部が係止された支持棒７に載置された状態で配設されている。
【００１８】
また、前記調理室前面開口部２ａは、本体１の下端部から上面前部の一部までを上下に大きく開放した形状とされており、前記開閉扉５は、前記前面開口部２ａを覆う形状とされている。このようにした理由は、開閉扉５を上方にスライド移動させる初期において、開閉扉５の上端部が前面開口部２ａから容易に離脱できるようにしたいからである。
【００１９】
前記開閉扉５は、前記調理室２内を外部から透視できる透明窓９と、該透明窓９がはめ込まれる枠体１０とによって構成されており、該枠体１０の下部１０ａ中央には、開閉扉５の開閉操作を行う把手１１が揺動軸１２により上下揺動自在に枢支されている。該把手１１は、前記枠体下部１０ａを貫通しており、その内端部には、本体１の底部前側に設けられた係止片１３に係止されるロック片１４が取り付けられている。該ロック片１４は、開閉扉５の閉止時に前記係止片１３に対して係止状態とされることとなっており、開閉扉５を図２に鎖線図示するように押し下げた時、ロック片１４が係止片１３から離脱してロック解除状態とされる。つまり、前記係止片１３およびロック片１４が開閉扉５の閉状態を保持させるロック機構Ｒを構成することとなっているのである。このようにすると、把手１１とロック機構Ｒとを連動させることができることとなり、構成の簡略化と操作性の向上とを図ることができる。なお、前記把手１１は、前記係止片１３が前記ロック片１４に係止する方向にスプリング等（図示省略）により付勢する構成とされている。
【００２０】
前記前面開口部２ａの両側口縁（具体的には、調理室内壁２ｂ，２ｂ）には、前記開閉扉の側壁から突設された枢軸１５と該枢軸１５から下方向に所定距離離れた位置にあって前記開閉扉５における下部枠体１０ａに形成された内向きの係合突部５ａに対して係合する前記本体１側に設けられた係合軸１６とをスライド移動時に案内するガイド溝１７，１７がそれぞれ形成されている。
【００２１】
前記枢軸１５は、前記開閉扉５における下部枠体１０ａを水平方向に貫通しており、左右方向に摺動可能とされている。また、この枢軸１５の一端側（例えば、図示左端側）には、位置決め用のナット１８が設けられており、この枢軸１５は、スプリング１９の付勢力により前記ナット１８側に付勢されている。つまり、スプリング１９の付勢力とナット１８の位置決め作用とにより、枢軸１５の両端部が前記ガイド溝１７，１７に確実に係合されることとなっているのである。符号２０はスプリング１９の端部を支持するためのナットである。このようにすると、枢軸１５の進退により開閉扉５の着脱を容易に行うことができる。
【００２２】
一方、前記係合軸１６は、前記開閉扉５における下部枠体１０ａに形成された係合突部５ａに対して下方から係合しており（図５参照）、その両端部には、前記開閉扉５を上方に付勢する付勢手段として作用するスプリング２１，２１の下端部がそれぞれ支持されている。該スプリング２１，２１は、前記調理室内壁２ｂ，２ｂの外側に配設されており、その上端は、前記調理室内壁２ｂ，２ｂの上部に取り付けられた支持具２２，２２に支持されている。つまり、スプリング２１，２１は、開閉扉５の閉止状態においては伸長状態（即ち、付勢力が作用している状態）とされているのである。符号２３は係合軸１６の両端部の前記ガイド溝１７，１７への係合状態を確保するための位置決め用のナットである。
【００２３】
前記各ガイド溝１７は、前記前面開口部２ａにおける両側口縁の外形形状に略倣った形状とされており、その下端部分１７ａは、開閉扉５の開操作初期に開閉扉５が上方移動するように鉛直形状とされる。また、このガイド溝１７の上端部分１７ｂは、本体１の上面に倣うように略水平形状に屈曲されている。このようにした理由は、開閉扉５がスライド移動終了時に本体１の上面１ａに沿うようにしたいからである。
【００２４】
また、前記各ガイド溝１７における上端には、図６に示すように、開閉扉５のスライド移動終了時において枢軸１５の両端部が係合する係合凹部２４が形成されている。該係合凹部２４への枢軸１５の係合により開閉扉５の全開状態が確保されることとなっている。
【００２５】
上記のように構成されたオーブントースターにおいては、次のような作用効果が得られる。
【００２６】
このオーブントースターにおいては、被加熱物Ｍ（例えば、パンあるいは調理物を載せた受け皿等）を焼き網４上に載置した後、開閉扉５を閉じて電気ヒータ（即ち、上下ヒータ３Ａ，３Ｂ）に通電することにより、加熱調理が実行される。該加熱調理が終了すると、開閉扉５が開操作されるが、その手順を以下に説明する。
【００２７】
まず、把手１１を、図２に鎖線で示すように、押し下げてロック機構Ｒを解除する。すると、開閉扉５はスプリング２１，２１の付勢力により上方にスライド移動される。この時、開閉扉５は、枢軸１５と係合軸１６とがガイド溝７に沿って案内されつつスライド移動せしめられることとなり、開閉扉５を安定した状態で開操作することができる。この過程においては、把手１１から手を離していても、スプリング２１の付勢力により開閉扉５は自動的にスライド移動するが、把手１１に手を沿えて開操作するのが、安全上望ましい。
【００２８】
そして、図３に示すように、スプリング２１が収縮して自然長になると、スプリング２１の付勢力がなくなるので、その後は把手１１を押し上げることにより開閉扉５の開操作が行われ、図４に示すように、枢軸１５がガイド溝１７の上端の係合凹部２４に係合した状態において開閉扉５の開操作は終了する。この時、スプリング２１は自然長よりやや伸長した状態となり、下方への若干の付勢力を有することとなる。従って、枢軸１５の係合凹部２４への係合状態がより確実に保持されることとなる。この全開状態においては、開閉扉５は本体１の上面１ａに沿った姿勢で本体１の上方に収納されることとなる。
【００２９】
上記した開閉扉５の全開状態においては、本体１の前面に大きな開口部２ａが形成されることとなり、被加熱物Ｍの取出を容易且つ安全に行うことができる。しかも、開閉扉５は、前面開口部２ａにおける両側口縁の外形形状に倣った形状のガイド溝１７に枢軸１５および係合軸１６が案内されて開操作されることとなっているので、開操作時における開閉扉５の動きに無駄がなくなる。
【００３０】
さらに、本実施の形態においては、開閉扉５の開操作がスプリング２１の付勢力により容易に行えるとともに、開閉扉５の閉状態がロック機構Ｒにより確保できることとなる。従って、簡単且つ低コストな開閉扉５の開閉機構が得られるのである。
【００３１】
また、開閉扉５を閉止する際には、上記開操作時とは逆に、スプリング２１，２１の付勢力に抗して開閉扉５を押し下げ、ロック片１４を係止片１３に係止すれば、開閉扉５は閉状態を保持される。
【００３２】
なお、開閉扉の開操作と焼き網の前方移動とが連動するように構成することも可能である。その場合、開閉扉と焼き網との間に連動機構を介在させる必要がある。
【００３３】
【発明の効果】
本願発明の第１の手段によれば、本体内に形成された調理室と、該調理室内に配設された加熱源となる電気ヒータと、被加熱物を載置する焼き網と、前記調理室の前面開口部を開閉する開閉扉とを備えたオーブントースターにおいて、前記開閉扉の上部を、前記本体における上面の一部を形成するように構成するとともに、前記開閉扉を、上方にスライド移動し得るように構成して、開閉扉が上方スライド移動して開操作された状態においては、本体前面に大きな開口部が形成されるようにしたので、被加熱物の取出を容易且つ安全に行うことができるという効果がある。
【００３４】
本願発明の第２の手段におけるように、上記第１の手段を備えたオーブントースターにおいて、前記前面開口部の両側口縁に、前記開閉扉の側壁から突設された枢軸と該枢軸から上あるいは下方向に所定距離離れた位置にあって前記開閉扉の下部に対して係合する前記本体側に設けられた係合軸とをスライド移動時に案内するガイド溝をそれぞれ形成することもでき、そのように構成した場合、開閉扉は、枢軸と係合軸とがガイド溝に沿って案内されつつ開閉扉がスライド移動せしめられることとなり、開閉扉を安定した状態で開操作することができる。
【００３５】
本願発明の第３の手段におけるように、上記第２の手段を備えたオーブントースターにおいて、前記ガイド溝を、前記前面開口部における両側口縁の外形形状に略倣った形状とすることもでき、そのように構成した場合、開閉扉は、前面開口部における両側口縁の外形形状に略沿って開操作されることとなり、開操作時における開閉扉の動きに無駄がなくなる。
【００３６】
本願発明の第４の手段におけるように、上記第２又は第３の手段を備えたオーブントースターにおいて、前記枢軸を、前記開閉扉の側壁に対して進退自在とすることもでき、そのように構成した場合、枢軸の進退により開閉扉の着脱を容易に行うことができる。
【００３７】
本願発明の第４の手段におけるように、上記第１、第２、第３又は第４の手段を備えたオーブントースターにおいて、前記開閉扉を上方に付勢する付勢手段と、前記開閉扉の閉状態を保持させるロック機構とを付設することもでき、そのように構成した場合、開閉扉の開操作が付勢手段の付勢力により容易になるとともに、開閉扉の閉状態はロック機構により確保できることとなり、簡単且つ低コストな開閉扉の開閉機構が得られる。
【図面の簡単な説明】
【図１】本願発明の実施の形態にかかるオーブントースターの正面図である。
【図２】本願発明の実施の形態にかかるオーブントースターの開閉扉閉操作時の縦断側面図である。
【図３】本願発明の実施の形態にかかるオーブントースターの開閉扉開操作途中の縦断側面図である。
【図４】本願発明の実施の形態にかかるオーブントースターの開閉扉全開時の縦断面図である。
【図５】本願発明の実施の形態にかかるオーブントースターにおける開閉扉の部分斜視図である。
【図６】本願発明の実施の形態にかかるオーブントースターにおけるガイド溝上端部の拡大図である。
【符号の説明】
１は本体、１ａは上面、２は調理室、２ａは前面開口部、２ｂは内壁、３Ａは電気ヒータ（上ヒータ）、３Ｂは電気ヒータ（下ヒータ）、４は焼き網、５は開閉扉、５ａは係合突部、１０は枠体、１０ａは下部枠体、１１は把手、１２は揺動軸、１３は係合片、１４はロック片、１５は枢軸、１６は係合軸、１７はガイド溝、２１は付勢手段（スプリング）、Ｍは被加熱物、Ｒはロック機構。
【図１】
2004225976.tif 000003
【図２】
2004225976.tif 000004
【図３】
2004225976.tif 000005
【図４】
2004225976.tif 000006
【図５】
2004225976.tif 000007
【図６】
2004225976.tif 000008